(57)【要約】【課題】レンズ鏡筒の外周部に配置した表示手段１３を用いて、輝度値を制御することにより視認性を改善し、且つ表示電力の無駄を無くす。【解決手段】レンズ鏡筒の外周部に配置した表示手段の周囲の光を、同じくレンズ鏡筒の外周部に配置した測光手段により測光することにより、表示手段の輝度値を調整する構成とした。【選択図】図１
2017151204.tif 000002
【特許請求の範囲】
【請求項１】
少なくとも１つのレンズを含むレンズ鏡筒であって、
該レンズ鏡筒の外周部に設けられた表示手段と、
該レンズ鏡筒の外周部に設けられた測光手段と、を備え、
前記表示手段の配置角が１８０°未満であって、前記表示手段の円周方向の両端部と光軸を結ぶ其々最短の線分に垂直で、前記光軸を通る２つの平面により、前記光軸を中心として前記レンズ鏡筒を４つに分割した円弧領域のうち、前記表示手段の中央部を含む円弧領域、及びそれに隣接する２つの円弧領域のいずれかの位置に、前記測光手段が配置されている、
ことを特徴とするレンズ鏡筒。
【請求項２】
少なくとも１つのレンズを含むレンズ鏡筒であって、
該レンズ鏡筒の外周部に設けられた表示手段と、
該レンズ鏡筒の外周部に設けられた測光手段と、を備え、
前記表示手段の配置角が１８０°以上である、
ことを特徴とするレンズ鏡筒。
【請求項３】
少なくとも１つのレンズを含むレンズ鏡筒であって、
該レンズ鏡筒の外周部に設けられた表示手段と、
該レンズ鏡筒の外周部に設けられた複数の測光手段と、
前記複数の測光手段のうち少なくとも一部の測光手段の測定結果に基づいて前記表示手段の明るさの調整を行う制御手段と、
を備え、
前記制御手段は、前記表示手段によって情報が表示される領域に応じて、前記複数の測光手段のうち前記調整に用いる測定手段の組合せを変更する、
ことを特徴とするレンズ鏡筒。
【請求項４】
撮像素子を備えるカメラ本体と、
被写体からの光を前記撮像素子に導く、請求項１乃至３のいずれか１項に記載のレンズ鏡筒を備えることを特徴とする光学機器。
【請求項５】
請求項１乃至４に記載の前記レンズ鏡筒又はカメラ本体に表示制御手段を備える、光学機器。
【請求項６】
前記表示制御手段は、前記表示手段が透過型である場合は前記測光手段により得た測光値が、基準値より低い場合には前記基準値より高い場合よりも前記表示手段の輝度を低く設定し、
前記表示手段が反射型である場合は前記測光手段により得た測光値が、基準値より低い場合には前記基準値より高い場合よりも前記の輝度を高く設定し、
前記表示手段が半透過型である場合は前記測光手段により得た測光値が、基準値より低い場合には前記表示手段を透過型で表示し、前記基準値より高い場合には前記表示手段を反射型で表示する、請求項５に記載の光学機器。
【請求項７】
前記測光手段を２つ以上配置する、請求項１又は請求項２に記載のレンズ鏡筒。
【請求項８】
前記表示手段の円周方向の両端部、中央部と光軸を結ぶ其々最短の線分に垂直で、光軸を通る３つの平面により、光軸を中心として前記レンズ鏡筒を６つに分割した円弧領域のうち、前記表示手段の中央部に隣接する円弧領域の範囲に、少なくともそれぞれ１つずつ前記測光手段が配置される、請求項７に記載のレンズ鏡筒。
【請求項９】
請求項７に記載の前記レンズ鏡筒又はカメラ本体に表示制御手段を備える、光学機器。
【請求項１０】
前記表示制御手段は、
前記表示手段が透過型である場合はいずれかの測光手段により得た測光値が、基準値より高い場合には、いずれの前記測光手段により得た測光値が、基準値より低い場合よりも前記表示手段の輝度を低く設定し、
前記表示手段が反射型である場合はいずれかの測光手段により得た測光値が、基準値より低い場合には、いずれの前記測光手段により得た測光値が、基準値より高い場合よりも前記表示手段の輝度を高く設定し、
前記表示手段が半透過型である場合は第１の測光手段により得た測光値が基準値より低く第１の測光手段とは異なる第２の測光手段により得た測光値が基準値より高い場合には、前記表示手段を輝度を高く設定する、請求項９に記載の光学機器。
【発明の詳細な説明】
【技術分野】
【０００１】
本発明は、レンズ鏡筒に十分な視認性を有する表示手段を備えたレンズ鏡筒及びその光学機器に関するものである。
【背景技術】
【０００２】
従来、ビデオカメラ、デジタルカメラ等の光学機器が有する情報を表示する手段として液晶表示や電子ペーパーがある。これらの表示手段の表示方法として、反射型、透過型、半透過型がある。反射型とは、外光、フロントライト等の光源から発せられた光を部分的に反射させることにより情報を表示するというものである。透過型とは、バックライト等の光源から発せられた光を部分的に透過・遮断することにより情報を表示するというものである。半透過型とは反射型と透過型の両方の表示方法を使い分ける方式である。これらの表示の視認性は、外的環境と液晶表示の輝度との関係に左右される。
【０００３】
例えば、透過型ディスプレイにおいて室内では好適な輝度であっても、晴天下では、操作者にとって輝度が相対的に低くなるため、視認性が悪い。また、日中は好適な輝度であっても、夜間では、操作者にとって輝度が相対的に高くなるため、やはり視認性が悪く、加えて液晶表示に使用する電力が不必要に消費される。そのため、デジタルカメラ等の光学機器に測光手段を設けて周囲の光を測光し、それに応じて輝度値を調整する手段が知られている。
【０００４】
特許文献１は、電子スチルカメラの前面側と背面側に測光手段を設け、各々の測光値を用いてカメラ本体の背面側における透過型の液晶表示の輝度値を変更する。特許文献２は、一眼レフのレンズ鏡筒側に距離目盛や焦点距離目盛の様な撮影情報を表示する表示手段を設ける。レンズ鏡筒の外周は丸みを帯びているため、液晶表示や電子ペーパー等を用いて曲面に表示する。
【先行技術文献】
【特許文献】
【０００５】
【特許文献１】特開２００１−９１９２１
【特許文献２】特開２００７−７２４０７
【発明の概要】
【発明が解決しようとする課題】
【０００６】
しかしながら、特許文献１のように、カメラ本体側に設けた測光手段により得られた測光値では、レンズ鏡筒の外周部に設けた表示手段の表示面に垂直な向きと測光値の測光方向が異なる。そのため、表示手段の表示面に垂直な向きからの光を正確に測光できず、輝度値の適切な変更ができない。結果として、周囲の光による視認性の悪化を改善できず、更に表示の電力を無駄に消費する可能性がある。
【０００７】
本発明は、このような状況を鑑みてなされたものであり、レンズ鏡筒に設けられた表示手段１３対し周囲の光による視認性の悪化を低消費電力で改善するレンズ鏡筒及びその光学機器を提供することを目的とする。
【課題を解決するための手段】
【０００８】
上記課題を解決するために、本発明は、少なくとも１つのレンズを含むレンズ鏡筒であって、該レンズ鏡筒の外周部に設けられた表示手段と、該レンズ鏡筒の外周部に設けられた測光手段と、を備え、前記表示手段の配置角が１８０°未満であって、前記表示手段の円周方向の両端部と光軸を結ぶ其々最短の線分に垂直で、前記光軸を通る２つの平面により、前記光軸を中心として前記レンズ鏡筒を４つに分割した円弧領域のうち、前記表示手段の中央部を含む円弧領域、及びそれに隣接する２つの円弧領域のいずれかの位置に、前記測光手段が配置されていることを特徴とする。
【発明の効果】
【０００９】
本発明によれば、レンズ鏡筒の円周方向に沿って、表示手段を配置した場合に、周囲に光による視認性の悪化を低消費電力で改善することを可能とするレンズ鏡筒及びその光学機器を提供することができる。
【図面の簡単な説明】
【００１０】
【図１】本発明の形態を示す模式図である。
【図２】実施形態１におけるレンズ鏡筒を含むカメラシステムを示す図である。
【図３】実施形態１における測光手段の設置場所を示した模式図である。
【図４】実施形態２における測光手段の設置場所を示した模式図である。
【図５】実施形態３における測光手段の設置場所を示した模式図である。
【図６】実施形態４におけるレンズ鏡筒を含むカメラシステムを示す図である。
【図７】実施形態４おける測光手段の設置場所を示した模式図である。
【図８】実施形態４における発光型ディスプレイ（表示手段）の輝度値設定の制御図である。
【図９】実施形態５におけるレンズ鏡筒を含むカメラシステムを示す図である。
【図１０】実施形態５におけるフード収納時のカメラシステムを示す模式図である。
【発明を実施するための形態】
【００１１】
以下、本発明を実施するための形態について図面等を参照して説明する。
【００１２】
（実施形態１）
図１乃至図３を参照して、本発明の一実施形態に係る光学機器について説明する。まず、図１を用いて、本発明のレンズ鏡筒０及びカメラ１のシステム構成を説明する。ここでいうレンズ鏡筒とは、一眼レフカメラやミラーレスカメラ等の光学機器に取り外し可能な交換レンズや、デジタルカメラ、ビデオカメラ等の光学機器のレンズ鏡筒部分を指している。また、本願発明は、撮像素子を備えるカメラ本体と、被写体からの光を前記撮像素子に導く、レンズ鏡筒を備える光学機器を含む。
【００１３】
図１は、本発明のレンズ鏡筒０及びカメラ１の構成を表す図である。レンズ鏡筒０は、レンズ２、表示手段３、測光手段５を含む。また、表示制御手段４は、レンズ鏡筒０又はカメラ１のいずれかに配置する。測光手段５を用いて表示手段３の周囲の光を測定すると、その測光値に基づいて表示制御手段４が表示手段３の画像の輝度値を変更する。
【００１４】
次に、本発明のレンズ鏡筒を搭載したカメラの構成を、図２を用いて説明する。レンズ鏡筒１０は交換式レンズでもよい。レンズ鏡筒１０は、レンズ１２、表示手段１３および測光手段１５を含む。表示手段１３は表示面の輝度値を変更し、視認性を調整可能な透過型液晶ディスプレイである。表示手段１３は、焦点距離、ズーム位置等の情報を表示する。図２には、レンズ１２の中心軸、即ち光軸（ｘ軸）を示す。更に、レンズ鏡筒１０は表示制御手段４として、不図示のレンズ側マイクロプロセシングユニット（ＭＰＵ）を有している。
【００１５】
表示手段１３は、配置角を９０°以下として、レンズ鏡筒１０の外周部に配置する。なお、配置角とは表示手段１３をレンズ鏡筒１０の外周部に円弧状に配置した際の、円弧の（に対する）中心角である。即ち、図３の矢印１Ａ、光軸及び矢印１Ｂで形成される角度である。別の言い方をすれば、配置角とは、レンズの光軸を中心とした回転方向における表示手段（の情報を表示する領域）が占める角度、また表示手段の光軸を中心とした回転方向における角度範囲、とも言える。この表示手段は、レンズ鏡筒の外周に沿った形、すなわち通常は円弧上であることが望ましいが、円弧上の１点と別の１点とを結ぶ直線（を含む平面）に沿った平面状の表示手段であっても構わない。測光手段１５をレンズ鏡筒１０の外周部に配置することにより、表示手段１３の周囲の明るさを測定できる。
【００１６】
このとき、測光手段１５で得られた測光値に応じて、レンズ側ＭＰＵが表示手段１３の輝度値を変更する。例えば、測光手段１５で得た測光値が基準値よりも高い場合は、表示手段１３の周囲は明るいとレンズ側ＭＰＵが判断し、表示手段１３の輝度値を高くする。また、測光手段１５で得た測光値が基準値よりも低い場合は、表示手段１３の周囲は暗いとレンズ側ＭＰＵが判断し、表示手段１３の輝度値を低くする。
【００１７】
このようにして、レンズ側ＭＰＵが表示手段１３の輝度値を、外部の環境に応じて相対的に適正な値に調整する。このため、操作者は表示手段１３を快適に視認することができる。また、上述した様に測光手段１５で得た測光値が基準値よりも低い場合は、表示手段１３の輝度値を低くするため、操作者にとって視認性を良くするだけでなく、余剰な電力を消費することが無くなる。具体的な輝度値の変更方法については既知であるため省略する。
【００１８】
表示手段１３の周囲を測光可能となるように、レンズ鏡筒１０の外周部に測光手段１５を配置する。それにより、レンズ鏡筒１０の表示手段１３の周囲の光を測光することができる。このため、カメラ本体１１側に配置された測光手段では測光できない表示手段１３の周囲の光を測光し、輝度を調整できるので、表示手段１３の視認性が改善できる。
【００１９】
また、レンズ鏡筒１０の外周部に配置した測光手段１５を用いて測光することにより、交換レンズの種類で異なるディスプレイの位置に左右されることなく、表示手段の周囲の光を測光することができ、ディスプレイを低消費電力で視認性を改善できる。
【００２０】
次に、実施形態１に係る測光手段１５の配置場所について図３を用いて説明する。図３は、図２の軸ｘの方向に沿って、レンズ１２側からカメラ本体１１へ向かってレンズ鏡筒１０を見た場合の模式図である。矢印１Ａ、矢印１Ｂはそれぞれ表示手段１３の円周方向の両端部における表示面に垂直な向きを示す。矢印Ｃは表示手段１３の中央付近における表示面に垂直な向きを示す。
【００２１】
また、矢印１Ａと垂直であり軸Ｘを通る平面を平面１ＡＡ、矢印１Ｂと垂直であり軸Ｘを通る平面を平面１ＢＢ、矢印１Ｃと垂直であり軸Ｘを通る平面を平面１ＣＣとする。そして平面１ＡＡより表示手段１３を多く含む側を円弧領域１ａ、平面１ＢＢより表示手段１３を多く含む側を円弧領域１ｂ、平面１ＣＣより表示手段１３を多く含む側を円弧領域１ｃとする。
【００２２】
このとき、円弧領域１ｐを円弧領域１ａ、円弧領域１ｂ、円弧領域１ｃのいずれかが存在する領域とする。また、円弧領域１ｑを円弧領域１ａ、円弧領域１ｂの重なる領域とする。換言すると、表示手段１３の円周方向の両端部と光軸を結ぶ其々最短の線分に垂直で、光軸を通る２つの平面を其々平面１ＡＡ及び平面１ＢＢとする。そして、それらの平面により、光軸を中心として前記レンズ鏡筒１０を４つに分割した円弧領域のうち、前記表示手段の中央部を含む円弧領域１ｑ、更にそれに隣接する２つの円弧領域を併せた領域を、円弧領域１ｐとする。
【００２３】
測光手段１５は所定の方向からの光量を計測する。そのため、配置面を境界としてどちらかからの光を測光する。そのため、仮に矢印１Ａ上に測光手段１５を配置した場合、円弧領域１ａからの光を測光する。同様に、矢印１Ｂ上に測光手段１５を配置した場合、円弧領域１ｂからの光を測光する。更に矢印１Ｃ上に測光手段１５を配置した場合は円弧領域１ｃからの光を測光する。
【００２４】
ここで、円弧領域１ｐ上に測光手段１５を備えることで表示手段１３の表示面に垂直な向きからの光を測光できる。要するに、円弧領域１ｐは測光手段１５を配置可能な最大領域である。円弧領域１ｐ上に測光手段１５を配置することにより、表示手段１３の周囲の光を測光でき、その測光値に応じて表示手段１３の輝度値を変更できる。これによって、低消費電力で表示手段１３の視認性を改善できる。
【００２５】
また、円弧領域１ｑ上に測光手段１５を備えることで、表示手段１３の表示面全域に垂直な向きからの光を測光できる。そのため、表示手段１３の周囲の光をより正確に測光でき、その測光値に応じて表示手段１３の輝度値を変更できる。これによって、低消費電力で表示手段１３の視認性を改善できる。
【００２６】
（実施形態２）
実施形態１ではレンズ鏡筒１０に備えられる表示手段１３が９０°以下の配置角である構成を説明した。実施形態２では９０°より大きく１８０°未満の配置角である場合における測光手段の配置場所について説明する。なお、実施形態２における配置角とは、図４の矢印２Ａ、光軸及び矢印２Ｂで形成される角度である。
【００２７】
実施形態２における測光手段２５の配置場所について図４を用いて説明する。図４は、図２の軸ｘの方向に沿って、レンズ１２側からカメラ本体１１へ向かってレンズ鏡筒１０を見た場合の模式図である。矢印２Ａ、矢印２Ｂはそれぞれ表示手段１３の周上の端部における表示面に垂直な向きを示す。矢印２Ｃは表示手段１３の中央部における表示面に垂直な向きを示す。
【００２８】
また、矢印２Ａと垂直であり軸Ｘを通る平面を平面２ＡＡ、矢印２Ｂと垂直であり軸Ｘを通る平面を平面２ＢＢ、矢印２Ｃと垂直であり軸Ｘを通る平面を平面２ＣＣとする。そして平面２ＡＡより表示手段１３を多く含む側を円弧領域２ａ、平面２ＢＢより表示手段１３を多く含む側を円弧領域２ｂ、平面２ＣＣより表示手段１３を多く含む側を円弧領域２ｃとする。このとき、円弧領域２ｐを円弧領域２ａ、円弧領域２ｂ、円弧領域２ｃのいずれかが存在する領域とし、円弧領域２ｑを円弧領域２ａ、円弧領域２ｂの重なる領域とする。
【００２９】
換言すると、表示手段１３の円周方向の両端部と光軸を結ぶ其々最短の線分に垂直で、光軸を通る２つの平面を平面２ＡＡ及び平面２ＢＢとする。そして、それらの平面により、光軸を中心として前記レンズ鏡筒１０を４つに分割した円弧領域のうち、前記表示手段の中央部を含む円弧領域２ｑ及びそれに隣接する２つの円弧領域を併せた領域を、円弧領域２ｐとする。
【００３０】
円弧領域２ｐ上に測光手段１５を備えることで表示手段１３の表示面に垂直な向きからの光を測光できる。そのため、表示手段１３の周囲の光を測光でき、その測光値に応じて表示手段１３の輝度値を変更できる。そうすることで、低消費電力で表示手段１３の視認性を改善することができる。
【００３１】
また、円弧領域２ｑ上に測光手段１５を備えることで表示手段１３の表示面全域に垂直な向きからの光を測光できる。そのため、表示手段１３の周囲の光をより正確に測光でき、その測光値に応じて表示手段１３の輝度値を変更できる。これにより、低消費電力で表示手段１３の視認性を改善できる。
【００３２】
以上実施形態１及び実施形態２において述べた様に本発明を実施し、レンズ鏡筒の外周部に設けられた表示手段１３及び測光手段１５を備えたレンズ鏡筒１０において、前記レンズ鏡筒１０の円周方向に沿って、前記表示手段１３を配置する。そして、前記表示手段１３の配置角が１８０°未満であって、前記表示手段１３の円周方向の両端部と光軸を結ぶ其々最短の線分に垂直で、光軸を通る２つの平面を想定する。そして、それら２つの平面により、光軸を中心として前記レンズ鏡筒を４つに分割した円弧領域を想定する。これら４つの円弧領域のうち、前記表示手段１３の中央部を含む円弧領域、及びそれに隣接する２つの円弧領域のいずれかの位置に、前記測光手段１５を配置する。この様なレンズ鏡筒１０を構成することにより、視認性を改善し、低消費電力で前記表示手段１３の視認性を改善できる。
【００３３】
（実施形態３）
実施形態１及び実施形態２ではレンズ鏡筒１０に備えられる表示手段が１８０°未満の配置角であった。実施形態３では１８０°以上の配置角である場合における測光手段の配置場所について図５を用いて説明する。なお、実施形態３における配置角とは、図５の矢印３Ａ、光軸及び矢印３Ｂで形成される角度である。
【００３４】
実施形態３における測光手段１５の配置場所について図５を用いて説明する。図５は、図２の軸ｘの方向に沿って、レンズ１２側からカメラ本体１１へ向かってレンズ鏡筒１０を見た場合の模式図である。矢印３Ａ、矢印３Ｂはそれぞれ表示手段１３の周上の端部における表示面に垂直な向きを示す。矢印３Ｃは表示手段１３の中央付近における表示面に垂直な向きを示す。
【００３５】
また、矢印３Ａと垂直であり軸Ｘを通る平面を平面３ＡＡ、矢印３Ｂと垂直であり軸Ｘを通る平面を平面３ＢＢ、矢印３Ｃと垂直であり軸Ｘを通る平面を平面３ＣＣとする。そして平面３ＡＡより表示手段１３を多く含む側を円弧領域３ａ、平面３ＢＢより表示手段１３を多く含む側を円弧領域３ｂ、平面３ＣＣより表示手段１３を多く含む側を円弧領域３ｃとする。このとき、円弧領域３ｐを円弧領域３ａ、円弧領域３ｂ、円弧領域３ｃのいずれかが存在する領域とし、円弧領域３ｑを円弧領域３ａ、円弧領域３ｂの重なる領域とする。
【００３６】
換言すると、表示手段１３の円周方向の両端部と光軸を結ぶ其々最短の線分に垂直で、光軸を通る２つの平面を平面３ＡＡ及び平面３ＢＢとする。これら２つの平面により、光軸を中心として前記レンズ鏡筒１０を４つに分割した円弧領域のうち、前記表示手段の中央部を含む円弧領域３ｑとする。
【００３７】
更に、矢印３Ａと表示手段１３の交点に測光手段１５を配置した場合、前記測光手段１５が感知できる範囲は、平面３ＡＡで分割した２つの円弧領域のうち、前記測光手段１５の配置された側の円弧領域である。そして、矢印３Ｂと表示手段１３の交点に測光手段１５を配置した場合、前記測光手段１５が感知できる範囲は、平面３ＢＢで分割した２つの円弧領域のうち、前記測光手段１５の配置された側の円弧領域である。
【００３８】
つまり、測光手段１５の配置可能な円弧領域３ｐは、レンズ鏡筒１０の外周上全域となる。円弧領域３ｐ上に測光手段１５を備えることで表示手段１３の表示面に垂直な向きからの光を測光できる。そのため、表示手段１３の周囲の光を測光でき、その測光値に応じて表示手段１３の輝度値を変更できる。これにより、低消費電力で表示手段１３の視認性を改善できる。
【００３９】
また、領域３ｑ上に測光手段１５を備えることで表示手段１３の表示面における１８０°の領域に垂直な向きからの光を測光できる。そのため、一つの測光手段で測光できる範囲は１８０°であるので、表示手段１３の周囲の光をより有効に測光でき、その測光値に応じて表示手段１３の輝度値を変更できる。これにより、低消費電力で表示手段１３の視認性を改善できる。
【００４０】
以上実施形態３において述べた様に本発明を実施し、レンズ鏡筒の外周部に設けられた表示手段１３及び測光手段１５を備えたレンズ鏡筒１０において、前記レンズ鏡筒１０の円周方向に沿って、前記表示手段１３を配置する。このとき、前記表示手段１３の配置角が１８０°以上の場合には、前記レンズ鏡筒１０の円周の全領域のうちいずれかの位置に、前記測光手段１５を配置する。このようなレンズ鏡筒の構成とすることにより、低消費電力で表示手段１３の視認性を改善できる。
【００４１】
（実施形態４）
実施形態１、実施形態２及び実施形態３では、測光手段を一つ配置したレンズ鏡筒を含むカメラの構成を説明した。実施形態４では、二つ以上の複数の測光手段を配置したレンズ鏡筒を含むカメラの構成について図６を用いて説明する。
【００４２】
本発明の二つ以上の複数の測光手段を配置したレンズ鏡筒を搭載したカメラの構成を、図６を用いて説明する。図６のカメラは、レンズ鏡筒２０及びカメラ本体２１を備える。レンズ鏡筒２０は交換式レンズでもよい。レンズ鏡筒２０は、レンズ２２、表示手段２３、測光手段（測光センサ）２５１及び測光手段２５２を有する。また、軸Ｘはレンズ２２の中心軸を示す。更に、レンズ鏡筒２０は表示制御手段として不図示のレンズ側マイクロプロセシングユニット（ＭＰＵ）を有する。
【００４３】
表示手段２３は円弧形状で、レンズ鏡筒２０の外周部に配置する。測光手段２５１及び測光手段２５２は表示手段２３を含むレンズ鏡筒２０の外周部で、表示手段２３の周囲の明るさを測定できる位置に配置する。
【００４４】
実施形態４における測光手段２５１及び測光手段２５２の配置場所について図７を用いて説明する。図７は、図６の軸ｘの方向に沿って、レンズ２２側からカメラ本体２１へ向かってレンズ鏡筒２０を見た場合の模式図である。矢印４Ａ、矢印４Ｂはそれぞれ表示手段２３の周上の端部における表示面に垂直な向きを示す。矢印４Ｃは表示手段２３の中央部における表示面に垂直な向きを示す。
【００４５】
また、矢印４Ａと垂直であり軸Ｘを通る平面を平面４ＡＡ、矢印４Ｂと垂直であり軸Ｘを通る平面を平面４ＢＢ、矢印４Ｃと垂直であり軸Ｘを通る平面を平面４ＣＣとする。そして、平面４ＣＣと平面４ＡＡで分割された円弧のうち矢印４Ｃに近い側を４ａｃとし、平面４ＣＣと平面４ＢＢで分割された円弧のうち矢印４Ｃに近い側を４ｂｃとする。
【００４６】
このとき、４ａｃ上に測光手段２５１を配置することで表示手段２３の周上中心における表示面から垂直な光と表示手段２３の一方の端部矢印４Ａからの光を測光できる。また、４ｂｃ上に測光手段２５２を配置することで表示手段２３の周上中心における表示面から垂直な光と表示手段２３の一方の端部矢印４Ｂからの光を測光できる。そのため、表示手段２３の周囲の光をでき、その測光値に応じて表示手段２３の輝度値を変更できる。よって、表示手段２３の大きさに関係なく、全ての表示面に垂直な方向からの光を測光できる。換言すると、表示手段１３の円周方向の両端部、中央部と光軸を結ぶ其々最短の線分に垂直で、光軸を通る３つの平面を平面４ＡＡ及び平面４ＢＢ及び平面４ＣＣとする。これら３つの平面により、光軸を中心として前記レンズ鏡筒１０を６つに分割した円弧領域のうち、前記表示手段の中央部に隣接する領域をそれぞれ円弧領域４ａｃ、円弧領域４ｂｃとする。
【００４７】
更に、レンズ側ＭＰＵが行う、２個の測光手段より得られた測光値から表示手段２３の輝度値を変える制御方法について、図８を用いて説明する。
【００４８】
まず、ステップ１で第１の測光手段である測光手段２５１において得られた測光値が基準値以下か判断する。ステップ１で測光手段２５１において得られた測光値が基準値以下の場合にはステップ２で第２の測光手段である測光手段２５２において得られた測光値が基準値以下か判断する。ステップ２で測光手段２５２において得られた測光値が基準値以下の場合はステップ３で発光型ディスプレイ（表示手段２３）の輝度値を低く設定して制御を終える。
【００４９】
もし、ステップ1で測光手段２５１において得られた測光値が基準値以上の場合、また、ステップ２で測光手段２５２において得られた測光値が基準値以上である場合は、ステップ４として表示手段２３の輝度値を高く設定して制御を終える。
【００５０】
表示手段２３において、周囲が明るいときに暗いと判断し、低い輝度値で表示すると見えなくなるが、周囲が暗いときに明るいと判断し高い輝度値で表示しても視認性は悪くならない。そのため、図８の制御を行うことで、いずれかの測光手段の測光値が基準値よりも高いときに高い輝度値で表示できる。つまり、いずれの状態においても視認性の良い輝度の高い状態に設定できるので表示手段２３の視認性を改善することができる。
【００５１】
（実施形態５）
ここで、レンズ鏡筒にフードを装備した場合のカメラの構成について図９を用いて説明する。実施形態５に係るカメラは、フード５６を有するレンズ鏡筒５０、カメラとしてカメラ本体５１を備える。このレンズ鏡筒５０は、レンズ５２、焦点距離、ズーム位置などの情報を表示する表示手段５３、測光手段５５を有する。また、軸Ｘはレンズ５２の中心軸を示す。更に、レンズ鏡筒５０は表示制御手段として不図示のレンズ側マイクロプロセシングユニット（ＭＰＵ）を有する。
【００５２】
表示手段５３は円弧形状で、レンズ鏡筒５０の外周部に配置する。測光手段５５は表示手段５３を含むレンズ鏡筒５０の外周部、または、表示手段５３よりカメラ本体５１側のレンズ鏡筒５０の外周部で、表示手段５３の周囲の明るさを測定できる位置に配置する。すなわち、表示手段５３の光軸後方側に測光手段５５を配置する。
【００５３】
ここで、実施形態５を構成するカメラを収納する際の様子について、図１０を用いて説明する。図１０は、フード５６をレンズ鏡筒５０に対し、撮影時と逆に装着した模式図である。カメラ本体５１、表示手段５３、測光手段５５の配置については、図９の構成と同じである。
【００５４】
ここで、測光手段５５と他の部材との位置関係について説明する。測光手段５５は、表示手段５３を含むレンズ鏡筒５０の外周上、または、表示手段５３よりカメラ本体５１側のレンズ鏡筒５０の外周上に配置される。そのため、フード５６により測光手段５５が隠れるときは表示手段５３をフード５６が隠す構成となる。
【００５５】
そうすると、フード５６が測光手段５５を隠すことにより、周囲の明るさによらず暗いと判断される。表示手段５３では、測光値が低いと判断されたとき輝度値を下げるため消費電力は低いが、明るい状況で暗いと判断されると輝度値が低く設定されるため視認性が悪い。しかし、本構成をとることで、フード５６により表示手段５３が隠れない限り、測光手段５５がフード５６で隠れることがないので、視認性が悪くなるのを防ぐことができる。
【００５６】
以上、本発明の好ましい実施形態について説明したが、本発明はこれらの実施形態に限定されず、その要旨の範囲内で種々の変形及び変更できる。また、実施形態中では交換式レンズであるレンズ鏡筒について説明を行ったが、交換レンズとカメラや一体型カメラといったカメラシステム上で行っても良いことは言うまでもない。更に、表示制御手段がレンズ鏡筒に備えている例で説明したが、カメラ側に設けられていてもいいことは言うまでもない。
【００５７】
前述したように、カメラの種類としては、一眼レフカメラ、ミラーレスカメラ、デジタルカメラ、ビデオカメラ等の光学機器が含まれる。ビデオカメラには、放送局等が使用するスタジオカメラ、肩乗せカメラ、民生用にも使用される手持ちカメラのほか、監視カメラ等の据え置きカメラも含まれる。カメラ本体の背面から情報表示手段を覗きこむことが困難な状況で使用するカメラにおいて、表示手段を有する本発明を使用することも想定される。
【００５８】
各実施形態では、表示手段を弧形状のものについて説明を行った。しかし、レンズの円筒形状と一致しない弧形状の情報表示装置や平面の情報表示装置を用いた場合でも、同様の考え方で測光手段を配置できることは言うまでもない。
【００５９】
実施形態４では２個の測光手段の測光値においてディスプレイの視認性が不利な状況に合わせて表示状態を変える説明を行った。しかし、各々の測光手段の測光値に重みを持たしても良い。また、それぞれの測光値を用いてディスプレイの場所に応じて輝度値の変更を行っても良い。その際、得られた測光値から周辺光の光強度分布を求めて輝度値の変更を行っても良い。
【００６０】
また、実施形態４中ではディスプレイの表示面が１８０°以上のものの図を用いて説明したが１８０°以下のものに対して同様の発明を適応しても良い。またその場合は１個のときよりも正確に光強度分布を算出することでできる。
【００６１】
また、実施形態４では測光手段を２個配置したが２個以上配置しても良いことは言うまでもない。この場合、複数の測光手段のうち、少なくとも一部の測光手段の測定結果に基づいて前記表示手段の明るさの調整を行うことができる。前記制御手段は、前記表示手段によって情報が表示される領域に応じて、前記複数の測光手段のうち前記調整に用いる測定手段の組合せを変更することができる。
【００６２】
更に、各実施形態では表示手段として透過型ディスプレイを例にとって説明したが、輝度値を変更可能な表示手段であればいずれでもよい。例えば、反射型ディスプレイや反射型ディスプレイと照明手段、もしくは目盛と照明手段、半透過型ディスプレイにおいても本発明を適応できる。発光型ディスプレイとは透過型液晶にバックライトを組み合わせたものや有機EL等が挙げられる。
【００６３】
また、反射型ディスプレイとしては電子ペーパーや反射型液晶、エレクトロウェティング等が挙げられる。照明手段としては発光ダイオード等が挙げられる。半透過型ディスプレイとは以上に挙げた反射型ディスプレイと発光型ディスプレイを組み合わせたものが挙げられる。
【００６４】
このとき、反射型ディスプレイや目盛においては、明るい環境下での視認性はいいが、暗い環境下では表示を反射する光が足りず視認性が悪くなる。そのため、反射型ディスプレイと照明手段もしくは目盛と照明手段を用いた場合は、測光値から暗いと判断した場合に照明を付ける。このとき、測光値に基づいて光量を変化させても良い。反射型ディスプレイにおいては、２つ以上の測光手段がある場合、いずれかの測光手段の測光値が基準値より低い場合には輝度を高くすることでいずれの状態においても視認性を良くすることが可能になる。
【００６５】
また、反射型ディスプレイや目盛においては暗い環境下では照明を付けるため消費電量が大きくなる。そのため、フード収納時においても測光手段が隠れない構成が低消費電力で用いるためには好ましく、測光手段は情報表示手段を含むレンズ鏡筒の外周上、または、情報表示手段よりカメラ側のレンズ鏡筒の外周上に備えられている方がよい。
【００６６】
半透過型ディスプレイにおいては、反射型ディスプレイを用いたときは、前述したとおり明るい環境下では視認性がいいが暗い環境下では視認性が悪くなる。しかし消費電力は透過型に比べて少ない。一方、透過型ディスプレイを用いたときは、前述したとおり暗い環境下では表示の輝度値を低くすると視認性が良くなり、明るい環境下では表示の輝度値を高くすると視認性が良くなる。しかし輝度値を高くすることで消費電力は多くなる。そのため、得られた測光値から暗いと判断した場合は透過型で表示し、明るいと判断した場合は反射型で表示することで視認性良く低消費電力で画面を表示できる。半透過型ディスプレイにおいては、２つ以上測光手段がある場合いずれかの測光手段の測光値が基準値よりも低く、それとは異なる測光手段の測光値が基準値よりも高いときに輝度を高くすることでいずれの状況においても視認性を良くすることが可能になる。なお、輝度を高くする際に反射型でも透過型でもいいことは言うまでもなく、消費電力のより有利な方を選択してもいいことは言うまでもない。
【００６７】
また半透過型ディスプレイを用いた場合、明るい状況で暗いと判断されると透過型として表示されるが、反射型として表示される方が視認性が良く、消費電力も少ない。そのため、フード収納時においても測光手段が隠れない構成が好ましく、測光手段は情報表示手段を含むレンズ鏡筒の外周上、または、情報表示手段よりカメラ側のレンズ鏡筒の外周上に備えられている方がよい。
【００６８】
即ち、本願発明の表示制御手段は、表示手段が透過型である場合には、いずれかの測光手段により得た測光値が、基準値より低い場合には前記基準値より高い場合よりも前記表示手段の輝度を低く設定する。また、前記表示手段が反射型である場合には、前記測光手段により得た測光値が、基準値より低い位場合には、前記基準値より高い場合よりも前記輝度を高く設定する。前記表示手段が半透過型である場合には、前記測光手段により得た測光値が、基準より低い場合には前記表示手段を透過型で表示し、前記基準値より高い場合には前記表示手段を反射型で表示する。
【００６９】
更に、本願発明の表示制御手段は、前記表示手段が透過型である場合はいずれかの測光手段により得た測光値が、基準値より高い場合には、いずれの前記測光手段により得た測光値が、基準値より低い場合よりも前記表示手段の輝度を低く設定する。前記表示手段が反射型である場合はいずれかの測光手段により得た測光値が、基準値より低い場合には、いずれの前記測光手段により得た測光値が、基準値より高い場合よりも前記表示手段の輝度を高く設定する。前記表示手段が半透過型である場合は第１の測光手段により得た測光値が基準値より低く第１の測光手段とは異なる第２の測光手段により得た測光値が基準値より高い場合には、前記表示手段を輝度を高く設定する。
【符号の説明】
【００７０】
３、１３、２３、５３            表示手段
５、１５、２５１，２５２、５５  測光手段
【図１】
2017151204.tif 000003
【図２】
2017151204.tif 000004
【図３】
2017151204.tif 000005
【図４】
2017151204.tif 000006
【図５】
2017151204.tif 000007
【図６】
2017151204.tif 000008
【図７】
2017151204.tif 000009
【図８】
2017151204.tif 000010
【図９】
2017151204.tif 000011
【図１０】
2017151204.tif 000012